(57)【要約】【課題】簡単な構造で、建物内の所望場所に所望の大きさに簡単に組立れて、空気汚染が建物の居住空間内に影響しないように分煙し、除去する喫煙ボックスを提供すること。【解決手段】側面に差込溝が施された所望数の柱に、この差込溝にポリカーボネート中空構造板のパネルを差込み所望の形状の囲みを形成し、この囲みの上部にその形状に合わせた天井パネルを柱の上部の梁に施された差込溝に嵌め込んで囲みを形成し、この内に送風機が内蔵され空気吸込み部位にプレフィルタと電気集塵ユニットと光触媒ユニットとを介在させた空気清浄機を設置し、上記パネルの一側面にアコーディオンカーテン或いはドアを付設し、又は入口近傍にアロマディフューザを設置し、さらにアコーディオンカーテンの下部或いはパネルの側面の下部位に空気吸込口を施した喫煙ボックスである。【選択図】図６
0003127759.tif 000002
【実用新案登録請求の範囲】
【請求項１】
側面に差込溝が施された所望数の柱に、この差込溝に防火機能を有する所望の大きさのパネルを差込み所望の形状の囲みを形成し、この囲みの上部にその形状に合わせた天井パネルを上記柱の上部に付設された梁の差込溝に嵌め込んで喫煙ボックスを形成すると共に、この喫煙ボックス内に送風機が内蔵され空気吸込み部位にプレフィルタを介在させた空気清浄機を設置し、上記パネルの一側面にアコーディオンカーテン或いはドアを付設し、さらにアコーディオンカーテンの下部或いはパネルの側面の下部位に空気吸込口を施したことを特徴とする喫煙ボックス。
【請求項２】
上記防火機能を有するパネルを半透明或いは種々な色のポリカーボネート中空構造板としたことを特徴とする請求項１に記載の喫煙ボックス。
【請求項３】
上記空気清浄機の空気吸込み部位にプレフィルタと電気集塵ユニットと光触媒ユニットを介在させると共に、パネルの一側面にアコーディオンカーテン或いはドアを付設された入口近傍にアロマディフューザを設置したことを特徴とする請求項１又は請求項２に記載の喫煙ボックス。
【請求項４】
上記パネルの側面の空気吸込口を対向側面或いは全側面の下部位と上部位とに設けると共に、この空気吸込口を開閉可能で開口面積を調節可能としたことを特徴とする請求項１乃至請求項３のいずれか１項に記載の喫煙ボックス。
【考案の詳細な説明】
【技術分野】
【０００１】  本考案は、建物内の所望場所に誰にでも簡単に組立てることができ、煙草の煙り臭いやニコチン等の空気汚染が建物の居住空間内に影響しないように隔離し、除去すると共にボックス自体が防火設備であり、かつ組立て自在な喫煙ボックスに関する。
【背景技術】
【０００２】  近年、建物内における喫煙が禁止され喫煙場所がなかったり、或いは喫煙者の専用の部屋を設計又は喫煙場所を設置するには、そのための専用の空調設備の設置が必要である。そこで、室内の一角に喫煙スペースを設けて建物とは別の空調設備を取付けたり、喫煙専用のボックスを設置し換気装置で空気を清浄し循環させたりしているが、換気が十分でなかったり、防火の配慮が不十分である。また、喫煙者をベランダや給湯室等に追い出したり、喫煙者が肩身のせまいおもいで喫煙するのが現状である。さらに、室内の一角に喫煙スペースで多くの人が利用すると、種々な防火上の問題も生じかねない。【０００３】
【特許文献１】特開平７−３１７３４２号公報
【特許文献２】特開平９−１０５２８号公報
【特許文献３】特開平９−１０５２９号公報
【特許文献４】特開２００４−８５０２３号公報
【特許文献５】特開２００４−３４７３０９号公報
【特許文献６】特開２００５−１６４１２７号公報
【特許文献７】特開２００６−１４１４７０号公報
【０００４】  従来喫煙場所として種々提案されている、特許文献１のものは、柱部材を介して出入り口が設けられた壁部材と、排気用穴が穿設された短尺壁部材とが交互に直角な位置関係に着脱自在に接続され、これらを覆う屋根部材と、出入り口に開閉自在で着脱可能なドア部材とからなる移動自在な喫煙ボックスに、上記排気用穴に駆動フアンと、一側が上記排気用穴を取り囲んだ短尺壁部材に、他側が駆動モータ支持手段の周囲を囲って短尺壁部材に取付かれたカバー体と、活性炭が充填されたカバー体の開口側に着脱可能な吸着手段とからなる喫煙ボックスであるが、分煙が不十分である。特許文献２のものは、送風フアンを備えたりするも換気が不十分である。特許文献３のものは、煙草の煙りの立ち昇る部位で風で煙りが流れ出てしまい、分煙が不十分である。特許文献４のものは、架台枠の四隅に立設された柱部材と、各柱部材の間に設けられた側壁と、上部に架設された天井体とにより構成され、天井体に空気清浄機能を有する排気装置が設けられ、架台枠を連結部材を介して喫煙室の並設を可能にしたものであり、室の数だけ空気清浄機が必要であり、換気も不十分である。特許文献５のものは、自在に組立て、分解ができるユニット室の出入口に設けた吸気口と、この吸気口に対向するユニット室の上部に設けた排気口と、吸気口と排気口との間に位置して煙草の煙を清浄化してその清浄エアーを上方に排出する空気清浄機とからなるものであるが、空気の流れが特定されてしまい、喫煙者の立つ場所や人数に制限があるし、空気清浄機のメンテナンスやユニット室への防火が考えられていない。特許文献６と特許文献７のものは、喫煙室の隔壁に空気清浄機と空気循環手段或いは微細化水粒子の噴霧水が必要であり、かつ組立てたりするものでもないし、換気も不十分である。
【考案が解決しようとする課題】
【０００５】  第１に、簡単な構造で、建物内の所望場所に誰にでも簡単に組立てることができ、煙草の煙り臭いやニコチン等の空気汚染が建物の居住空間内に影響しないように分煙し、除去すると共にボックス自体に防火手段が施されてあり、かつ所望の大きさに組立てと分解とが自在な喫煙ボックスを提供すること。第２に、第１の課題に加えて、カラフルでおしゃれで、喫煙者に快適な喫煙空間を提供すること。第３に、第１又は第２の課題に加えて、光触媒やエアアロマを使用することで、空気清浄機のフィルタのメンテナンスを極力軽減させると共に喫煙者により快適な喫煙空間を提供すること。第４に、第１乃至第３のいずれかの課題に加えて、喫煙ボックスの大きさや空気清浄機の設置する位置とその吸入風量（本考案の空気清浄機は３段切替えである）や利用する喫煙者の数等による煙草の煙の流れや量に合わせて、喫煙ボックスの空気吸込口の開閉と開口面積とを調節して、喫煙者にさらに快適な喫煙空間を提供すること。
【課題を解決するための手段】
【０００６】  本考案は上記課題を解決するために、第１に、側面に差込溝が施された所望数の柱に、この差込溝に防火機能を有する所望の大きさのパネルを差込み所望の形状の囲みを形成し、この囲みの上部にその形状に合わせた天井パネルを上記柱の上部に付設された梁の差込溝に嵌め込んで喫煙ボックスを形成すると共に、この喫煙ボックス内に送風機が内蔵され空気吸込み部位にプレフィルタを介在させた空気清浄機を設置し、上記パネルの一側面にアコーディオンカーテン或いはドアを付設し、さらにアコーディオンカーテンの下部或いはパネルの側面の下部位に空気吸込口を施したことを特徴とする喫煙ボックスである。第２に、上記防火機能を有するパネルを半透明或いは種々な色のポリカーボネート中空構造板としたことを特徴とする請求項１に記載の喫煙ボックスである。第３に、上記空気清浄機の空気吸込み部位にプレフィルタと電気集塵ユニットと光触媒ユニットを介在させると共に、パネルの一側面にアコーディオンカーテン或いはドアを付設された入口近傍にアロマディフューザを設置したことを特徴とする請求項１又は請求項２に記載の喫煙ボックスである。第４に、上記パネルの側面の空気吸込口を対向側面或いは全側面の下部位と上部位とに設けると共に、この空気吸込口を開閉可能で開口面積を調節可能としたことを特徴とする請求項１乃至請求項３のいずれか１項に記載の喫煙ボックスである。
【効果】
【０００７】  第１に、構造が簡単で、安価であり、建物内の所望場所に誰にでも簡単に組立てることができ、煙草の煙り臭いやニコチン等の空気汚染が建物の居住空間内に影響しないように分煙し、除去すると共にボックス自体に防火手段が施されてあり、かつ所望の大きさに組立てと分解とが自在な喫煙ボックスである。第２に、第１の効果に加えて、カラフルでおしゃれで、喫煙者に快適な喫煙空間である。第３に、第１又は第２の効果に加えて、光触媒やアロマディフューザを使用することで、空気清浄機のフィルタのメンテナンスを極力軽減させると共に狭い空間にいてもアロマがドアの開け閉め或いは喫煙ボックスの空気吸込口から入り、その香りで気分が落ち着くので喫煙者により快適で無害化、無臭化された喫煙空間である。第４に、第１乃至第３のいずれかの効果に加えて、喫煙ボックスの大きさや空気清浄機の設置する位置とその吸入風量（本考案の空気清浄機は３段切替えである）や利用する喫煙者の人数等による煙草の煙の流れや量に合わせて、喫煙ボックスの空気吸込口の開閉と開口面積とを調節して、喫煙者にさらに快適な喫煙空間となる。
【考案を実施するための最良の形態】
【０００８】  以下、本考案の喫煙ボックスについて、図１乃至図７の実施例に基づいて説明する。防火機能を有する所望の大きさのパネル、例えば不燃性剤或いは不燃性材を施した木材や合成材或いは合成樹脂製のパネル、アルミニウム製のパネル、石こう製のパネル、好ましくは半透明或いは種々な色のポリカーボネートの中空構造板、中空積層板（以下、本考案では、ポリカーボネートの中空構造板やポリカーボネートの中空積層板を、単に「ポリカーボネート中空構造板」という）（例えば旭硝子製のクリスタルパネル）を使用すると防火性が優れているし、種々な色を採用できる。このようなパネルを喫煙ボックスの大きさや建物内の設置場所の形状に合わせる、又屋上や路上にも設置可能である。さらに、図５の（Ａ）に示すように軽合金、アルミ合金やポリカーボネート製の側面に差込溝３が施された柱１を中央にし、その左右に所望のパネル２を柱１の両側の差込溝３に差込み、図１の（Ａ）乃至（Ｃ）に示すように連設して所望の大きさのパネル２を構成する。このような所望の大きさの上述の防火機能を有するパネルを図１の（Ａ）乃至（Ｃ）と図２の（Ｂ）に示すように、三側面と側面の一部にアコーディオンカーテン５を垂下した一側面とを、二側面（直角面）に差込溝３が施された４本の柱１に、これら４組のパネル２を差込み四角の形状の囲みを形成する、図示していないが、三角の場合は三本の柱の差込溝を４５度の傾斜差込溝が施されている。このような所望形状の囲みの上部にその形状に合わせた図１の（Ｄ）に示す天井パネル１３を上記柱の上部側面に付設され図５の（Ｂ）に示すように梁１４の差込溝１５に嵌め込んで図６に示すような喫煙ボックス９を形成する。この喫煙ボックス内に送風機が内蔵され空気吸込み部位にプレフィルタを介在させた空気清浄機４を設置し、上記パネルの一側面の上方に図２（Ｂ）、図３に示すようにカーテンレール１９を付設し、このカーテンレール１９にアコーディオンカーテン５を垂下させるか、或いは図２（Ｄ）に示すようにパネルの一部にドア６を付設し、さらにアコーディオンカーテンの下部或いはパネルの一側面の下部位に空気吸込口７を施し、さらに空気清浄機４が吸込み無臭化、無害化された空気の吐出口８を図２（Ａ）に示すように空気清浄機４を設置した近傍のパネル２に設けた喫煙ボックス９である。この無害化された空気の吐出口８は喫煙ボックスの設置された喫煙ボックス内へ排出させると、アコーディオンカーテンの下部或いはパネルの側面の下部位に設けた空気吸込口７からの新しい空気の流入はほとんどなく、喫煙ボックス内の空気循環となり、無害化された空気の吐出口８を喫煙ボックスの設置された喫煙ボックス外へ排出させると、喫煙ボックス内の空気循環は活発になる、この時喫煙者が寒ければ電気ストーブ等の暖房手段を喫煙ボックスに採用すればよい。そこで、本考案では空気清浄機４により無害化された空気の吐出口８は喫煙ボックスの設置された喫煙ボックス内或いは外へ排出することができるのである。さらに、図示していないが、上記無害化された空気の吐出口８に専用のダクトを連設して建物の外に直接排出させたり、或いは建物の換気用のダクトに連設してもよい。【０００９】  また、図２（��）、（Ｄ）に示すように上記防火機能を有するパネルを半透明或いは種々な色のポリカーボネート中空構造板２ａとした。この場合喫煙ボックスに高級感を与えるために、入口にはドア６を付設し、側面パネルの一部をアルミプレート２ｂとポリカーボネート中空構造板２ａとを隣接する側面の柱１の差込溝３に差込んで連設する。さらに、上記空気清浄機４の空気吸込み部位にプレフィルタと電気集塵ユニットと光触媒ユニットを介在させると共に、パネルの一側面にアコーディオンカーテン或いはドアを付設された入口近傍にアロマディフューザ１０を設置した喫煙ボックス９である。市販されている空気清浄機４の一例として、図７に示すように、シルバー精工株式会社のＳＳ６１００Ｎによると、５０Ｈｚ風量１０立方ｍ／分（強）、８立方ｍ／分（中）、７立方ｍ／分（弱）で集塵効率が９８％（０．８ミクロン以上）、集塵方式はプレフィルタと２段荷電集塵方式、脱臭方式は光触媒脱臭・抗菌を使用したので、使用人数に合わせて風量を３段に切替えて省エネを計る。また、アロマディフューザ１０は（例えばエアアロマ社のアロマディフューザ）消費電力４０Ｗ、アロマオイル収納能力１×４５０ｍｌ、最大拡散能力５００立方ｍである。【００１０】  さらには、建物内の暗い場所に喫煙ボックスを設置する場合には、組立ての天井部分に照明器を取付けるとよい。また、ジュウタンの敷かれた部屋や床が木材等の場合には、不燃材の床１１を別に敷くとよい。【００１１】  または、図２の（Ａ）、（Ｂ）とに示す、他の実施例として、側面パネルの上部をアルミプレート１８とかポリカーボネート中空構造板の半透明板としたり、側面パネルの上方部位に会社のロゴマーク、宣伝文、喫煙マーク等のサインシート１６を張付けたりしてもよい。また、図７に示すように、空気清浄機４の上面に周囲に水をはった大型の灰皿１７を乗せるか、図示していないが空気清浄機４に隣接してスタンド式の大型の灰皿を付設してある。さらに、アコーディオンカーテン或いはドアが取付けられたパネルのドアノブ近傍のパネルの内面或いは外面に図示していないが空気清浄機と照明器とアロマディフューザを動作させるスイッチが設けてある。さらには、図示していないが、喫煙ボックスの大きさや空気清浄機の設置する位置や利用する喫煙者の数等による煙草の煙の流れや量は当然種々変化するので、その空気清浄機の設置した位置或いは空気清浄機の吸込口の位置とその吸入風量（本考案の空気清浄機は３段切替えである）、喫煙ボックスの大きさ、喫煙者の人数等に合わせて、喫煙ボックスの空気吸込口の開閉と開口面積とを調節するとよい、煙草の煙が喫煙ボックスの天井に這うように流れた場合はパネルの側面の対向側面或いは全側面の上部位に設け空気吸込口の開口面積を大きくするとよい、このようにして、喫煙者にはさらに快適な喫煙空間となる。【００１２】  上述のような各実施例によれば、側面に差込溝が施された所望数の柱に、この差込溝に防火機能を有する所望の大きさのパネルを差込み所望の形状の囲みを形成し、この囲みの上部にその形状に合わせた天井パネルを上記柱の上部側面に施された差込溝に嵌め込んで喫煙ボックスを形成する（この場合市販されている、柱の差込溝にくさび状の爪が設けられた固定具を捩込むことでパネルを固定させてもよい）と共に、この喫煙ボックス内に送風機が内蔵され空気吸込み部位にプレフィルタを介在させた空気清浄機を設置し、上記パネルの一側面にアコーディオンカーテン或いはドアを付設し、さらにアコーディオンカーテンの下部或いはパネルの一側面の下部位に空気吸込口を施した喫煙ボックスとなるので、喫煙者がアコーディオンカーテン或いはドアを開き内部空間に入りアコーディオンカーテン或いはドアを閉じ、空気清浄機或いは照明器を動作させるスイッチを入れ、灰皿が設けられている近くで喫煙すると、煙草の煙りは吸込口１２から空気清浄機４へ吸込まれ無臭化、無害化された空気となって図２（Ａ）に示した喫煙ボックスのパネルの吐出口８から吐出されるか、喫煙ボックス内へ吐出され、この時空気清浄機４からの浄化された空気の吐出しにより本考案の喫煙ボックスは負圧となり、喫煙ボックスのアコーディオンカーテンの下部或いはパネルの側面の下部位に空気吸込口７から新しい空気とアロマディフューザからのアロマが流入するようにしてあると、新しい空気と好みのアロマの香りが吸込まれ喫煙者の足元から煙草の煙りと共に空気清浄機４の吸込口へと入込むので喫煙者は自分の煙草の煙りに晒されることがなく、喫煙者は自身の紫煙の問題を解決できるし、喫煙ボックス内へ吐出されても、空気清浄機４の吸込口との間で空気の循環が発生するので、喫煙者の足元から煙草の煙りと共に空気清浄機４の吸込口１２へと入込むので喫煙者は自分の煙草の煙りに晒されることがなく、喫煙者は自身の紫煙の問題を同様に解決できる。また、他の実施例の喫煙ボックスでは、パネルをポリカーボネート中空構造板としたことにより、防火機能を略完璧なものとできるし、軽量化が計られ半透明或いは種々な色の採用することで、清潔感を与え、カラフルである。さらに、他の実施例の空気清浄機の空気吸込み部位にプレフィルタと電気集塵ユニットと光触媒ユニットを介在させると共に、パネルの一側面にアコーディオンカーテン或いはドアを付設された入口近傍にアロマディフューザを設置したことにより、煙草の煙りの略９８％の集塵効率と脱臭と抗菌とがなされ、アロマディフューザからの好みの香りがドア等の開け閉めで喫煙ボックス内に流れ込み喫煙者が落ち着きより快適な喫煙ボックスである。図４に示したのは３〜４人用の本考案の複数枚のパネル、柱、梁、ドア（アコーディオンカーテン）、天井パネルを丸数字の１から丸数字６１の順に組立てる組立図であり、図６のように組立て完成される。
【産業上の利用可能性】
【００１３】  請求項１の考案によれば、側面に差込溝が施された所望数の柱に、この差込溝に防火機能を有する所望の大きさのパネルを差込み所望の形状の囲みを形成し、この囲みの上部にその形状に合わせた天井パネルを上記柱の上部側面に施された差込溝に嵌め込んで喫煙ボックスを形成すると共に、この喫煙ボックス内に送風機が内蔵され空気吸込み部位にプレフィルタを介在させた空気清浄機を設置し、上記パネルの一側面にアコーディオンカーテン或いはドアを付設し、さらにアコーディオンカーテンの下部或いはパネルの一側面の下部位に空気吸込口を施した喫煙ボックスを提供することができる。請求項２の考案によれば、上記防火機能を有するパネルを半透明或いは種々な色のポリカーボネート中空構造板としたことを特徴とする請求項１に記載の喫煙ボックスを提供することができる。請求項３の考案によれば、上記空気清浄機の空気吸込み部位にプレフィルタと電気集塵ユニットと光触媒ユニットを介在させると共に、パネルの一側面にアコーディオンカーテン或いはドアを付設された入口近傍にアロマディフューザを設置した請求項１又は請求項２に記載の喫煙ボックスを提供することができる。請求項４の考案によれば、上記パネルの側面の空気吸込口を対向側面或いは全側面の下部位と上部位とに設けると共に、この空気吸込口を開閉可能で開口面積を調節可能としたことを特徴とする請求項１乃至請求項３のいずれか１項に記載の喫煙ボックスである。
【図面の簡単な説明】
【００１４】
【図１】  （Ａ）乃至（Ｄ）は本考案の喫煙ボックスを展開した平面図と正面図である。
【図２】  （Ａ）乃至（Ｄ）は本考案の他の実施例の喫煙ボックスを展開した正面図である。
【図３】  本考案の図１の（Ｄ）のＡ−Ａ線の断面図である。
【図４】  （Ａ）と（Ｂ）は本考案の柱と梁の正面図である。
【図５】  本考案のパネル、柱、梁、アコーディオンカーテン（ドア）、天井パネルを丸数字１から丸数字６１の順に組立てる組立図である。
【図６】  本考案のパネルを組立てた喫煙ボックスの傾視図である。
【図７】  本考案の喫煙ボックスに使用する空気清浄機の傾視図である。
【符号の説明】
【００１５】  １        柱                        ２        パネル
２ａ      アルミ合金                ２ｂ      ポリカーボネート中空構造板
３        差込溝                    ４        空気清浄機
５        アコーディオンカーテン    ６        ドア
７        空気吸込口                ８        空気吐出口
９        喫煙ボックス              １０      アロマディフューザ
１１      別の床                    １２      空気清浄機の吸込口
１３      天井パネル                １４      梁
１６      デザインシート            １７      灰皿
１８      アルミプレート            １９      カーテンレール
【図１】
0003127759.tif 000003
【図２】
0003127759.tif 000004
【図３】
0003127759.tif 000005
【図４】
0003127759.tif 000006
【図５】
0003127759.tif 000007
【図６】
0003127759.tif 000008
【図７】
0003127759.tif 000009